【事件の表示】
　
【結　論】
　本件審判の請求は、成り立たない。
【理　由】
１．手続の経緯
　本願は、平成７年１０月２５日の特許出願であって、平成１５年６月４日付けで拒絶理由通知がなされ、同年８月１１日に意見書及び手続補正書が提出され、平成１６年５月２０日付けで拒絶理由通知（最後）がなされ、同年７月２３日に意見書及び手続補正書が提出されたが、平成１７年５月６日付けで、平成１６年７月２３日付けの手続補正が却下されるとともに、拒絶査定がなされ、これに対して、同年６月１６日に審判請求がなされ、同年７月１９日に審判請求書の手続補正書（方式）が提出されたものである。
　
２．原審における補正の却下の決定について
　請求人は、原審において平成１７年５月６日付けでした補正の却下の決定について審判請求書中で争っているので、まずこの点について判断する。
　
（１）原審において平成１７年５月６日付けでした補正の却下の決定の概要は、以下のとおりである。
　［結　論］
　平成１６年７月２３日付けの手続補正を却下する。
　［理　由］
　この補正は、特許法第１７条の２第４項の各号に掲げるいずれの事項を目的とするものにも該当せず、同法第１７条の２第４項の規定に違反するものであるから、同法第５３条第１項の規定により、上記結論のとおり決定する。
　
（２）補正事項
　平成１６年７月２３日付けの手続補正（以下、「本件補正」という。）は、平成１５年８月１１日付け手続補正により補正された明細書（以下、「本件補正前明細書」という。）を補正するものであって、本件補正前明細書の特許請求の範囲の、 
 「【請求項１】　予め形成された少なくとも１つのインサート部分とこのインサート部分を成形型の内部に配置して事後成形された事後成形部分とからなる合成樹脂成形品において、インサート部分の事後成形部分に対する結合面と事後成形部分のインサート部分に対する結合面とが互いに突き合わせられると共に、それらの結合面には互いに嵌まり合う凸状の係合部と凹状の係合部とが結合面の厚さ方向両側に結合面を残した格好に設けられ、それらの係合部と結合面とが事後成形部分の事後成形に伴い互いに結合されたことを特徴とする合成樹脂成形品。
　【請求項２】　結合面周りにおけるインサート部分の表側の面と事後成形部分の表側の面とが互いに平坦に連続したことを特徴とする請求項１記載の合成樹脂成形品。
　【請求項３】　結合面周りにおけるインサート部分の厚さと結合面周りにおける事後成形部分の厚さとが同一であって、結合面周りにおけるインサート部分の表側と裏側との面と事後成形部分の表側と裏側との面とが互いに平坦に連続したことを特徴とする請求項１記載の合成樹脂成形品。
　【請求項４】　凸状と凹状とが三角形断面又は四角形断面であることを特徴とする請求項１記載の合成樹脂成形品。
　【請求項５】　インサート部分の係合部が凸状であることを特徴とする請求項１記載の合成樹脂成形品。
　【請求項６】　インサート部分の全周が事後成形部分で囲まれたことを特徴とする請求項１記載の合成樹脂成形品。
　【請求項７】　光源の配置される内部空間を有する形態で遊技機の前面に設けられるトップランプカバーであることを特徴とする請求項１記載の合成樹脂成形品。
　【請求項８】　型開きされた縦形合成樹脂成形機の固定型に、事後成形部分に対する結合面に凸状又は凹状の係合部を結合面の厚さ方向両側に結合面を残した格好に有する形態に予め成形された少なくとも１つのインサート部分を配置し、前記縦形合成樹脂成形機の可動型を型閉めし、その可動型と固定型との共働によりインサート部分を内包した状態の成形用空間を形成し、その成形用空間に事後成形部分の成形材料を注入固化し、可動型を型開きしてインサート部分と事後成形部分とが一体となった成形品を固定型より離型することを特徴とする合成樹脂成形品の製造方法。
　【請求項９】　固定型が定面より上方に突出する山形の膨出部を有する雄型に構成され、可動型が固定型の膨出部と当該膨出部の外側面に重ね合わせ配置された少なくとも１つのインサート部分とで事後成形部分用の主成形空間を形成する凹部を有する雌型に構成されたことを特徴とする請求項８記載の合成樹脂成形品の製造方法に使用する縦形合成樹脂成形機。
　【請求項１０】　固定型における膨出部の根元部で定面には、インサート部材の突起を入れるために形成された収容部が設けられたことを特徴とする請求項９記載の縦形合成樹脂成形機。
　【請求項１１】　固定型のインサート部材の突起を入れるための収容部より、事後成形部分に対する溶融した成形材料が主成形空間に注入されることを特徴とする請求項１０記載の縦形合成樹脂成形機。
　【請求項１２】　固定型における膨出部の根元部で定面には、事後成形部分の突起を形成するための副成形用空間が設けられたことを特徴とする請求項９記載の縦形合成樹脂成形機。
　【請求項１３】　副成形用空間が事後成形部分のフックを形成する部分であって、当該副成形用空間を開閉可能に形成する入れ子が、固定型の定面に設けられたことを特徴とする請求項１１記載の縦形合成樹脂成形機。
　【請求項１４】　固定型の膨出部には、インサート部材の肉厚部分を収容する受容凹部が設けられたことを特徴とする請求項９記載の縦形合成樹脂成形機。
　【請求項１５】　固定型の膨出部には、インサート部材の位置決め突起を収容する受容凹部が設けられたことを特徴とする請求項９記載の縦形合成樹脂成形機。
　【請求項１６】　固定型の膨出部には、インサート部材の裏側の面のローレットを重ね合わせ状態で収容する受容凹部が設けられたことを特徴とする請求項９記載の縦形合成樹脂成形機。」
との記載を、
　「【請求項１】　機枠の前面上部に光源の配置される内部空間を囲むように機枠の前面上部の左右側から中央に行くに従って前側に膨出する遊技機のトップランプカバーにおいて、トップランプカバーが機枠に取り付けられた場合における上面側に配置される光透過性を有する合成樹脂により予め形成された第１インサート部分と、トップランプカバーが機枠に取り付けられた場合における下面側に配置される光透過性を有する合成樹脂により予め形成された第２インサート部分と、これらの第１インサート部分と第２インサート部分とを成形型の内部に配置して光透過性を有する合成樹脂により事後成形された事後成形部分とからなる合成樹脂成形品として構成され、第１インサート部分と事後成形部分とがトップランプカバーが機枠に取り付けられた場合に上側に配置されるトップランプカバーの上開口縁を構成し、第２インサート部分の全周を囲む事後成形部分がトップランプカバーが機枠に取り付けられた場合に下側に配置されるトップランプカバーの下開口縁を構成し、第１インサート部分および第２インサート部分における事後成形部分に対する結合面と事後成形部分における第１インサート部分および第２インサート部分に対する結合面とが互いに突き合わせられ、結合面周りにおける第１インサート部分の厚さおよび結合面周りにおける第２インサート部分の厚さと結合面周りにおける事後成形部分の厚さとが同一であって、結合面周りにおける第１インサート部分の表側と内部空間側との面および結合面周りにおける第２インサート部分の表側と内部空間側との面と結合面周りにおける事後成形部分の表側と内部空間側との面とが互いに平坦に連続し、それらの結合面には互いに嵌まり合う凸状の係合部と凹状の係合部とが結合面周りにおける第１インサート部分の厚さおよび結合面周りにおける第２インサート部分の厚さと結合面周りにおける事後成形部分の厚さ方向両側に結合面を残した格好に設けられ、それらの係合部と結合面とが事後成形部分の事後成形に伴い互いに結合されており、第１インサート部分と第２インサート部分および事後成形部分からなるトップランプカバーにおける内部空間側の面の全面には縦縞模様を表わすローレットが形成され、第２インサート部分におけるローレットの凸部分における少なくとも１個が他の凸部分より内部空間の側に突出して第２インサート部分を成形型に配置する場合の位置決め突起として形成されたことを特徴とする遊技機のトップランプカバー。
　【請求項２】　第１インサート部分と第２インサート部分と事後成形部分とが互いに異なる色の有色合成樹脂からなることを特徴とする請求項１に記載の遊技機のトップランプカバー。」
とする補正を含むものである。
　
　そして、本件補正後の請求項１及び２に係る発明は「遊技機のトップランプカバー」であるから、特許請求の範囲についての本件補正は、補正前の、「トップランプカバー」を発明特定事項としていない「合成樹脂成形品」に係る請求項１〜６、「合成樹脂成形品の製造方法」に係る請求項８及び「縦形合成樹脂成形機」に係る請求項９〜１６を削除するとともに、「光源の配置される内部空間を有する形態で遊技機の前面に設けられるトップランプカバーであること」を発明特定事項とする請求項７について、請求項１を引用する形式から独立形式に改めた上で、種々の補正を加えたものと解される。
　即ち、特許請求の範囲についての本件補正は、補正前の請求項１〜６、及び、８〜１６を削除し、請求項７を、
「（ア）予め形成された少なくとも１つのインサート部分とこのインサート部分を成形型の内部に配置して事後成形された事後成形部分とからなる合成樹脂成形品において、
　（イ）インサート部分の事後成形部分に対する結合面と事後成形部分のインサート部分に対する結合面とが互いに突き合わせられると共に、
　（ウ）それらの結合面には互いに嵌まり合う凸状の係合部と凹状の係合部とが結合面の厚さ方向両側に結合面を残した格好に設けられ、
　（エ）それらの係合部と結合面とが事後成形部分の事後成形に伴い互いに結合されたことを特徴とする合成樹脂成形品であって、
　（オ）光源の配置される内部空間を有する形態で遊技機の前面に設けられるトップランプカバーであることを特徴とする合成樹脂成形品。」
（以下、「旧請求項７」という。）として、これを、　
「【請求項１】
　（ａ）機枠の前面上部に光源の配置される内部空間を囲むように機枠の前面上部の左右側から中央に行くに従って前側に膨出する遊技機のトップランプカバーにおいて、
　（ｂ）トップランプカバーが機枠に取り付けられた場合における上面側に配置される光透過性を有する合成樹脂により予め形成された第１インサート部分と、トップランプカバーが機枠に取り付けられた場合における下面側に配置される光透過性を有する合成樹脂により予め形成された第２インサート部分と、これらの第１インサート部分と第２インサート部分とを成形型の内部に配置して光透過性を有する合成樹脂により事後成形された事後成形部分とからなる合成樹脂成形品として構成され、
　（ｃ）第１インサート部分と事後成形部分とがトップランプカバーが機枠に取り付けられた場合に上側に配置されるトップランプカバーの上開口縁を構成し、第２インサート部分の全周を囲む事後成形部分がトップランプカバーが機枠に取り付けられた場合に下側に配置されるトップランプカバーの下開口縁を構成し、
　（ｄ）第１インサート部分および第２インサート部分における事後成形部分に対する結合面と事後成形部分における第１インサート部分および第２インサート部分に対する結合面とが互いに突き合わせられ、
　（ｅ）結合面周りにおける第１インサート部分の厚さおよび結合面周りにおける第２インサート部分の厚さと結合面周りにおける事後成形部分の厚さとが同一であって、
　（ｆ）結合面周りにおける第１インサート部分の表側と内部空間側との面および結合面周りにおける第２インサート部分の表側と内部空間側との面と結合面周りにおける事後成形部分の表側と内部空間側との面とが互いに平坦に連続し、
　（ｇ）それらの結合面には互いに嵌まり合う凸状の係合部と凹状の係合部とが結合面周りにおける第１インサート部分の厚さおよび結合面周りにおける第２インサート部分の厚さと結合面周りにおける事後成形部分の厚さ方向両側に結合面を残した格好に設けられ、
　（ｈ）それらの係合部と結合面とが事後成形部分の事後成形に伴い互いに結合されており、
　（ｉ）第１インサート部分と第２インサート部分および事後成形部分からなるトップランプカバーにおける内部空間側の面の全面には縦縞模様を表わすローレットが形成され、
　（ｊ）第２インサート部分におけるローレットの凸部分における少なくとも１個が他の凸部分より内部空間の側に突出して第２インサート部分を成形型に配置する場合の位置決め突起として形成されたこと
　を特徴とする遊技機のトップランプカバー。
　【請求項２】
　第１インサート部分と第２インサート部分と事後成形部分とが互いに異なる色の有色合成樹脂からなることを特徴とする請求項１に記載の遊技機のトップランプカバー。」（註：（ア）〜（オ）及び（ａ）〜（ｊ）の符号は、当審において便宜上付記。）
とする補正ということができる。
　
　なお、本件補正後の請求項１及び２が、「遊技機のトップランプカバーであること」を発明特定事項としない「合成樹脂成形品」に係る補正前の請求項１〜６の何れかを補正したものとすると、補正により「合成樹脂成形品」が「遊技機のトップランプカバー」に変更されたことになる。そして、「合成樹脂成形品」の発明と「遊技機のトップランプカバー」の発明とでは、産業上の利用分野及び解決しようとする課題が異なるから、このような補正は、もとより、特許法第１７条の２第４項第２号に規定された特許請求の範囲の減縮を目的とするものということはできず、また、明りょうでない記載の釈明、誤記の訂正及び請求項の削除のいずれかを目的とするものともいうことができない。
　
（３）原審において通知した拒絶理由について
　本件補正は、原審において平成１６年５月２０日付けで通知された拒絶理由に対応してなされたものであり、当該拒絶理由は、次の理由を含むものである。
「Ｃ．この出願は、特許請求の範囲の記載が下記の点で、特許法第３６条第６項第２号に規定する要件を満たしていない。
　　　　　　　　　　　　　　　　　記
ａ）請求項１、８には、「結合面の厚さ方向両側に結合面を残した格好」と、請求項２には、「インサート部分の厚さと・・・事後成形部分の厚さ」と、請求項２、３には、「インサート部分の表側（と裏側）の面と事後成形部分の表側（と裏側）の面」と、それぞれ記載されているが、インサート部分の形状が規定されていないから、どの方向が厚さ方向で、どの部分が表側か裏側かわからず、対応する事後成形部分の構成も不明確である。
ｂ）請求項７には、「光源の配置される内部空間を有する形態で遊技機の前面に設けられるトップカバー」と記載されているがその形状が具体的にどのような形状か不明確である。
　よって、請求項１〜１６に係る発明は明確でない。」
　
（４）合議体の判断
　（４−１）補正後の請求項１について
　・（ａ）の点について
　旧請求項７の上記（オ）の点に係る「光源の配置される内部空間を有する形態で遊技機の前面に設けられるトップランプカバー」との記載を、上記（ａ）のとおりに、「機枠の前面上部に光源の配置される内部空間を囲むように機枠の前面上部の左右側から中央に行くに従って前側に膨出する遊技機のトップランプカバー」と補正する点は、本件補正前明細書について、上記（３）Ｃ．ｂ）の拒絶理由に示した事項についてする明りょうでない記載の釈明を目的とするものに相当するものと解される。
　・（ｂ）の点について
　旧請求項７は、上記（ア）のとおり、「合成樹脂成形品」が、「予め形成された少なくとも１つのインサート部分」と「このインサート部分を成形型の内部に配置して事後成形された事後成形部分」とからなるものであることを発明特定事項としているにすぎないから、「第１インサート部分」、「第２インサート部分」及び「事後形成部分」を「光透過性を有する合成樹脂」から形成されたものとし、それらの配置を特定することとなる上記（ｂ）に係る補正事項は、旧請求項７に記載された発明特定事項を限定するものということはできず、特許請求の範囲の限定的減縮を目的をするものではない。
　また、（ｂ）に係る補正事項は、「遊技機のトップランプカバー」の細部にわたるものであって形状に係るものではないから、上記（３）Ｃ．ｂ）の「光源の配置される内部空間を有する形態で遊技機の前面に設けられるトップカバーの具体的形状が不明である」という拒絶理由に示した事項についてする明りょうでない記載の釈明を目的としたものでもない。
　・（ｃ）の点について
　旧請求項７には「上開口縁」及び「下開口縁」に関して何も規定されていないから、これらと第１インサート部分、事後成形部分及び第２インサート部分の関係を特定することとなる上記（ｃ）に係る補正事項は、旧請求項７に記載されたの発明特定事項を限定するものということはできず、特許請求の範囲の限定的減縮を目的をするものではない。
　また、（ｃ）に係る補正事項は、「遊技機のトップランプカバー」の細部にわたるものであるから、上記（ｂ）と同様、上記（３）Ｃ．ｂ）の拒絶理由に示した事項についてする明りょうでない記載の釈明を目的としたものでもない。
　・（ｄ）の点について
　上記（ｄ）の点については、実質上、旧請求項７に記載された上記（イ）に係る事項と同じであり、変更がないものと解される。
　・（ｅ）の点について
　旧請求項７には、「インサート部分」と「事後形成部分」との厚さの関係については、何も規定されていないから、これを特定の厚さに限定することとなる上記（ｅ）に係る補正事項は、旧請求項７に記載された発明特定事項を限定するものということはできず、特許請求の範囲の限定的減縮を目的をするものではない。
　なお、上記（３）Ｃ．ａ）の拒絶の理由において、「インサート部分の厚さと・・・事後成形部分の厚さ」に関する記載不備が指摘されているのは補正前の請求項２についてであって「遊技機のトップランプカバー」に係る旧請求項７についてではなく、（ｅ）に係る補正事項は、上記（３）Ｃ．ｂ）の拒絶理由に示した事項についてする明りょうでない記載の釈明を目的としたものでもない。
　・（ｆ）の点について
　旧請求項７には、「インサート部分」と「事後形成部分」との相互の面の対応関係については、何も規定されていないから、これを特定の関係に限定することとなる上記（ｆ）に係る補正事項は、旧請求項７に記載された発明特定事項を限定するものということはできず、特許請求の範囲の限定的減縮を目的をするものではない。
　なお、上記（３）Ｃ．ａ）の拒絶の理由において、「インサート部分の表側（と裏側）の面と事後成形部分の表側（と裏側）の面」に関する記載不備が指摘されているのは補正前の請求項２及び３についてであって「遊技機のトップランプカバー」に係る旧請求項７についてではなく、（ｆ）に係る補正事項は、上記（３）Ｃ．ｂ）の拒絶理由に示した事項についてする明りょうでない記載の釈明を目的としたものでもない。
　・（ｇ）の点について
　上記（ｇ）の点については、実質上、旧請求項７に記載された上記（ウ）に係る事項と同じであり、変更がないものと解される。
　・（ｈ）の点について
　上記（ｈ）の点については、実質上、旧請求項７に記載の上記（エ）に係る事項と同じであり、変更がないものと解される。
　・（ｉ）及び（ｊ）の点について
　旧請求項７には、ローレットの形成について、何も規定されていないから、その配置等について特定することとなる上記（ｉ）及び（ｊ）に係る補正事項は、旧請求項７に記載された発明特定事項を限定するものということはできず、特許請求の範囲の限定的減縮を目的をするものではない。
　また、（ｉ）及び（ｊ）に係る補正事項は、「遊技機のトップランプカバー」の細部にわたるものであるから、上記（ｂ）と同様、上記（３）Ｃ．ｂ）の拒絶理由に示した事項についてする明りょうでない記載の釈明を目的としたものでもない。
　
　・小括
　上記のとおり、補正後の請求項１の（ｂ）、（ｃ）、（ｅ）、（ｆ）、（ｉ）及び（ｊ）に係る補正は、特許請求の範囲の限定的減縮及び拒絶理由に示す事項についてする明りょうでない記載の釈明を目的としたものであるとはいえず、また、誤記の訂正を目的としたものでないことも明らかである。
　
（４−２）補正後の請求項２について
　本件補正前明細書の特許請求の範囲において、「遊技機のトップランプカバー」を発明特定事項とする請求項は、旧請求項７のみであり、同項で引用する請求項は請求項１のみであったから、「遊技機のトップランプカバー」の発明に関する請求項の数は１であった。
　しかるに本件補正により、「遊技機のトップランプカバー」の発明に関し、実質上、特許請求の範囲の請求項の数が補正前の１から２へと増加されているから、本件補正は、特許請求の範囲に新たな請求項を追加するものである。
　そして、このような請求項を増加させる補正により特許請求の範囲が限定的に減縮されるものではなく、また、明りょうでない記載が明りょうになるものでもない。 
　したがって、上記の点において、本件補正は、特許請求の範囲の限定的減縮及び明りょうでない記載の釈明を目的をするものとはいえず、もとより、請求項の削除及び誤記の訂正のいずれかを目的とするものでもない。
　
（４−３）まとめ
 　以上のとおり、本件補正は、特許法第１７条の２第４項の規定に違反してなされたものであるから、同法５３条第１項の規定により却下すべきものである。
　よって、本件補正に係る原審の判断に誤りはない。
　
３．本願発明
　上記２．のとおり、原審における、平成１６年７月２３日付けの手続補正の却下は、適法である。
　本願請求項１に係る発明（以下、「本願発明」という。）は、平成１６年７月２３日付けの手続補正が却下されたので、平成１５年８月１１付け手続補正により補正された明細書の特許請求の範囲の請求項１に記載された事項により特定される、次のとおりのものである。
　「予め形成された少なくとも１つのインサート部分とこのインサート部分を成形型の内部に配置して事後成形された事後成形部分とからなる合成樹脂成形品において、インサート部分の事後成形部分に対する結合面と事後成形部分のインサート部分に対する結合面とが互いに突き合わせられると共に、それらの結合面には互いに嵌まり合う凸状の係合部と凹状の係合部とが結合面の厚さ方向両側に結合面を残した格好に設けられ、それらの係合部と結合面とが事後成形部分の事後成形に伴い互いに結合されたことを特徴とする合成樹脂成形品。」
　
４．拒絶査定の理由について
　原審において拒絶査定の理由とされた、平成１６年５月２０日付け拒絶理由通知書に記載した理由Ａの概要は以下のとおりである。
　理由Ａ：この出願の下記の請求項に係る発明は、その出願前日本国内又は外国において頒布された下記の刊行物に記載された発明であるから、特許法第２９条第１項第３号に該当し、特許を受けることができない。
記
・請求項　１〜３、８
・引用文献等１
　　＜引用文献等一覧＞
　１．特開昭５５−３０９８１号公報（以下、「引用例」という。）
　
５．引用例の記載事項
　ａ．「端面に開口する穴を設けたゴムまたは合成樹脂部材の該端面部を金型内に設置し、ゴムまたは合成樹脂材料を金型内の上記端面部に射出注入して、上記部材の端面に一体固着した接合部材を形成せしめることを特徴とするゴムまたは合成樹脂部材の接合方法」（特許請求の範囲）
　ｂ．「例えば第４図に示す如く、部材１ｂの端部に端面に開口する軸方向の穴１０ｂを設けておき、上記端面に接続部材２ｂを形成せしめてもよい。」（第２頁左上欄１０〜１３行）
　
　ｃ．「
」（第３頁第４図）
　
６．対比、判断
　引用例には、「端面に開口する穴を設けたゴムまたは合成樹脂部材の該端面部を金型内に設置し、ゴムまたは合成樹脂材料を金型内の上記端面部に射出注入して、上記部材の端面に一体固着した接合部材を形成せしめることを特徴とするゴムまたは合成樹脂部材の接合方法」（摘示記載ａ．）が記載されており、このような「接合方法」により得られる物は「合成樹脂成形品」に外ならず、「射出注入」は金型内に合成樹脂材料を射出注入して成形品を得る操作であるから「射出成形」と称すべきものである。また、引用例には、部材１ｂの端部に端面に開口する軸方向の穴１０ｂを設けておき、上記端面に接続部材２ｂを形成せしめてもよいこと（摘示記載ｂ．）が記載されており、図４には、部材１ｂの端部の断面方向ほぼ中央に軸方向の穴１０ｂが開口し、接続部材２ｂの凸部がこの穴１０ｂに嵌合し、この凸部の肩部と穴の縁部とが嵌合部の上下において面状に接合していることが示されている。（摘示記載ｃ．）
　そうすると、引用例には実質上、次のとおりの発明（以下、「引用発明」という。）が記載されているものということができる。
　「端面に開口する軸方向の穴、即ち、凹部１０ｂを設けた合成樹脂部材１ｂの端面部を金型内に設置し、合成樹脂材料を金型内の前記端面部に射出成形して、接続部材２ｂを形成せしめて成る合成樹脂成形品であって、合成樹脂材料を射出成形して成る接続部材２ｂは、合成樹脂部材１ｂの凹部１０ｂに嵌合する凸部を形成しており、更に、合成樹脂部材１ｂ及び接続部材２ｂとは、凸部の肩部と穴の縁部とが嵌合部の上下において面状に接合している合成樹脂成形品」
　そこで、本願発明と引用発明とを対比すると、引用発明における、射出成形金型内に設置される合成樹脂部材１ｂは、本願発明における「予め形成された少なくとも１つのインサート部分」に相当し、引用発明における、合成樹脂材料を射出成形して形成される接続部材２ｂは、本願発明における「このインサート部分を成形型の内部に配置して事後成形された事後成形部分」に相当する。
　してみれば、本願発明と引用発明とは、ともに、「予め形成された少なくとも１つのインサート部分とこのインサート部分を成形型の内部に配置して事後成形された事後成形部分とからなる合成樹脂成形品」である点で一致しているが、以下の点で一応相違している。
  ＜相違点＞
本願発明における、
「インサート部分の事後成形部分に対する結合面と事後成形部分のインサート部分に対する結合面とが互いに突き合わせられると共に、それらの結合面には互いに嵌まり合う凸状の係合部と凹状の係合部とが結合面の厚さ方向両側に結合面を残した格好に設けられ、それらの係合部と結合面とが事後成形部分の事後成形に伴い互いに結合されたこと」
について、引用文献にはこのとおりには記載されていない点
　
　そこで、この点について検討すると、引用発明においても、合成樹脂材料を射出成形して成る接続部材２ｂ（本願発明における「事後成形部分」）が、合成樹脂部材１ｂ（本願発明における「インサート部分」）の凹部１０ｂに嵌入する凸部を形成しており、合成樹脂部材１ｂ（インサート部分）及び接続部材２ｂ（事後成形部分）とは、凸部の肩部と穴の縁部とが嵌合部の上下において面状に接合しているのであり、このような係合状態は、本願発明において「それらの結合面には互いに嵌まり合う凸状の係合部と凹状の係合部とが結合面の厚さ方向両側に結合面を残した格好に設けられ」と規定された状態と実質的に一致するものである。そして、本願発明における「インサート部分の事後成形部分に対する結合面と事後成形部分のインサート部分に対する結合面とが互いに突き合わせられる」点、及び、「それらの係合部と結合面とが事後成形部分の事後成形に伴い互いに結合された」点も、引用発明が具備するものである。
　
　そうすると、本願発明と引用発明との間に実質的な相違点はなく、本願発明は引用例に記載された発明であるというべきである。
　
７．むすび
　以上のとおりであるから、本願発明は特許法第２９条第１項第３号に該当し、特許を受けることができない。
　よって、結論のとおり審決する。